(57)【要約】  記録媒体のような取り外し可能で書き換え可能なディスクに、デジタル情報信号を記録する記録装置が提案される。前記装置は、前記デジタル情報信号を記録する書き込み手段（２１、２２、２５）及び前記記録を制御する制御手段（２０）を有する。前記装置は、前記媒体のユーザー領域（ＵＡ）のユーザーデータをアドレス指定する第１のファイルシステムデータ及び第２のファイルシステムデータを格納できる。前記制御手段（２０）は、２つのファイルシステムデータにより共有されるファイルエントリーのセットを１つだけ格納するために利用される。従って、ファイルシステムデータの取り扱いに要する時間及び領域を削減する。
2007512648.tif 000002
【特許請求の範囲】
【請求項１】
装置であって、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有し、前記装置は、
前記媒体に前記デジタル情報信号を記録する記録手段；
前記媒体に記録された前記デジタル情報信号を読み取る読み取り手段；及び
前記デジタル情報信号の記録を制御する制御手段
を有し、
前記制御手段が適用されると、前記第１のファイルシステムのアドレス参照フォーマットが前記第２のファイルシステムのアドレス参照フォーマットと同一か否か及び前記第１のファイルシステムの参照点が前記第２のファイルシステムの参照点と同一か否かを検査するために検証を実行し、及び前記検証の結果が真の場合に２つのファイルシステムデータにより共有されるファイルエントリーのセットを１つだけ記録する
ことを特徴とする、装置。
【請求項２】
各ファイルシステムデータは、ディレクトリエントリーの対応するセット及び対応するファイルセット記述子を有し、前記ディレクトリエントリーは、所定の書式に従いユーザーデータを指し及び参照点に関連して定義されたアドレス参照を有し、前記ファイルセット記述子は、ディレクトリエントリーのセット及びファイルエントリーのセットと関連する情報を有し、
前記制御手段が適用されると、２つのファイルシステムデータは１つのファイルセット記述子を共有するか否かを検査する段階を有する検証を実行し、及び前記検証の結果が真の場合に２つのファイルシステムデータにより共有されるディレクトリエントリーのセットを１つだけ記録する
ことを特徴とする、請求項１記載の装置。
【請求項３】
前記制御手段が適用されると、２つのファイルシステムのバージョンを比較する段階を有する検証を実行することを特徴とする、請求項１記載の装置。
【請求項４】
前記制御手段が適用されると、２つのファイルシステムのアドレス参照フォーマット及び２つのファイルシステムの参照点に関連する情報を有するビットフラグを検査することを特徴とする、請求項１記載の装置。
【請求項５】
前記制御手段が適用されると、１つのファイルセット記述子に関連する情報を有するビットフラグを検査することを特徴とする、請求項２記載の装置。
【請求項６】
前記制御手段が適用されると、前記媒体から前記ビットフラグを読み取ることを特徴とする、請求項４又は５記載の装置。
【請求項７】
前記制御手段が適用されると、前記第１のファイルシステムのパーティション及び前記第２のファイルシステムのパーティションが、前記第１のファイルシステムの参照点及び前記第２のファイルシステムの参照点である同一の位置から始まるように、及び前記第１のファイルシステムのアドレス参照フォーマットが前記第２のファイルシステムのアドレス参照フォーマットと同一であるように、前記媒体にファイルシステムのパーティションを定義する段階を有する初期化を実行することを特徴とする、請求項１記載の装置。
【請求項８】
各ファイルシステムデータは、前記ファイルセット記述子を指す対応するボリューム記述子を有し、前記制御手段が適用されると、前記第１のファイルシステムのボリューム記述子及び前記第２のファイルシステムのボリューム記述子を記録し、２つのボリューム記述子は、２つのファイルシステムデータにより共有される前記１つのファイルセット記述子を指すことを特徴とする、請求項２及び７記載の装置。
【請求項９】
前記媒体は、欠陥管理のための代替領域を有する予備領域をユーザー領域の外側に有し、前記制御手段が適用されると、前記予備領域を有する前記第２のファイルシステムのパーティションを定義することを特徴とする、請求項８記載の装置。
【請求項１０】
前記制御手段が適用されると、前記ビットフラグを設定することを特徴とする、請求項４及び７、又は５及び８記載の装置。
【請求項１１】
前記制御手段が適用されると、前記ビットフラグを前記媒体に記録することを特徴とする、請求項１０記載の装置。
【請求項１２】
方法であって、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有し、前記方法は：
前記第１のファイルシステムのアドレス参照フォーマットが前記第２のファイルシステムのアドレス参照フォーマットと同一か否か、及び前記第１のファイルシステムの参照点が前記第２のファイルシステムの参照点と同一か否かを検査するための検証段階；及び
前記検証段階の結果が真の場合に、２つのファイルシステムデータにより共有されるファイルエントリーのセットを１つだけ記録する段階
を有することを特徴とする、方法。
【請求項１３】
各ファイルシステムデータは、ディレクトリエントリーの対応するセット及び対応するファイルセット記述子を有し、前記ディレクトリエントリーは、所定の書式に従いユーザーデータを指し及び参照点に関連して定義されたアドレス参照を有し、前記ファイルセット記述子は、ディレクトリエントリーのセット及びファイルエントリーのセットと関連する情報を有し：
２つのファイルシステムデータが１つのファイルセット記述子を共有するか否かを検査する段階を有する前記検証段階；及び
前記検証段階の結果が真の場合に、２つのファイルシステムデータにより共有される前記ディレクトリエントリーのセットを１つだけ記録する段階
を有することを特徴とする、請求項１２記載の方法。
【請求項１４】
前記検証段階は、２つのファイルシステムのバージョンを比較する段階を有することを特徴とする、請求項１２記載の方法。
【請求項１５】
前記制御段階は、２つのファイルシステムのアドレス参照フォーマット及び２つのファイルシステムの参照点に関連する情報を有するビットフラグを検査する段階を有することを特徴とする、請求項１２記載の方法。
【請求項１６】
前記制御段階は、１つのファイルセット記述子に関連する情報を有するビットフラグを検査する段階を有することを特徴とする、請求項１３記載の装置。
【請求項１７】
前記ビットフラグは、前記媒体から読み取られることを特徴とする、請求項１５又は１６記載の方法。
【請求項１８】
初期化段階は、前記第１のファイルシステムのパーティション及び前記第２のファイルシステムのパーティションが、前記第１のファイルシステムの参照点及び前記第２のファイルシステムの参照点である同一の位置から始まるように、前記ユーザーデータを記録するファイルシステムのパーティションを定義する段階を有することを特徴とする、請求項１２記載の方法。
【請求項１９】
各ファイルシステムデータは、前記ファイルセット記述子を指す対応するボリューム記述子を有し、前記第１のファイルシステムのボリューム記述子及び前記第２のファイルシステムのボリューム記述子を記録し、２つのボリューム記述子は、２つのファイルシステムデータにより共有される前記１つのファイルセット記述子を指すことを特徴とする、請求項１３及び１８記載の方法。
【請求項２０】
前記媒体は、欠陥管理のための代替領域を有する予備領域をユーザー領域の外側に有し、前記第２のファイルシステムのパーティションは、前記予備領域を有することを特徴とする、請求項１９記載の方法。
【請求項２１】
前記初期化段階は、前記ビットフラグを設定する段階を有することを特徴とする、請求項１５及び１８、又は１６及び１９記載の方法。
【請求項２２】
前記ビットフラグを前記媒体に記録することを特徴とする、請求項２１記載の方法。
【請求項２３】
コンピューターデータシステムであって、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する装置と接続されるコンピューターを有し、前記装置は、
前記コンピューターと接続され前記デジタル情報信号を受信する入力手段；
前記デジタル情報信号を前記媒体に記録する記録手段；
前記媒体に記録された前記デジタル情報信号を読み取る読み取り手段；
前記読み取ったデジタル情報信号を前記コンピューターへ出力する出力手段；及び
前記デジタル情報信号の記録を制御する制御手段
を有し、
前記コンピューターは、前記装置の前記制御手段を制御し、請求項１２乃至２２の何れか記載の方法を実行するために利用されることを特徴とする、コンピューターデータシステム。
【請求項２４】
コンピュータープログラムであって、記録媒体のような取り外し可能で書き換え可能なディスクのアドレス可能な位置に、デジタル情報信号を記録し、前記プログラムは、プロセッサーに請求項１２乃至２２の何れか記載の方法を実行させるよう機能する、コンピュータープログラム。
【発明の詳細な説明】
【技術分野】
【０００１】
本発明は、デジタル情報信号を記録する装置及び方法に関する。
【背景技術】
【０００２】
光ディスク（ＤＶＤ＋ＲＷ、ブルーレイディスク等）のような記録媒体は、異なる種類のデータを大量に格納できる。これらは、記録媒体のデータ構造に関する固有の要件を有する異なる環境において利用できる。一般に、データは、個々のファイルシステムの規則に従うファイル構造を有する。このようなファイルシステムは、固有のファイルシステムデータを有する。ファイルシステムデータは、記録媒体に格納されたデータの構造の種類全体に関する情報を有する。特に、ファイルシステムデータは、論理及び／又は物理ボリュームの構造を表すボリューム構造、データを有するファイルの構造を表すファイルエントリー、ファイルの分類を記述するディレクトリエントリー、及び記録媒体の割り付け済み及び／又は未割り付けのデータ格納領域を表す領域ビットマップを有して良い。記録媒体は、データを格納するアドレス指定可能な記録単位を有して良い。ファイルシステムでは、これらの単位は、論理アドレスを用いて参照される。論理アドレスは、例えばＵＤＦのようなファイルシステム（の規則に従い）に制御されるファイルのような情報ブロック列を格納するために利用されるべき（格納）アドレス空間を定義する。記録媒体のパーティション分けにより、媒体にこの領域を割り付ける。
【０００３】
現在、例えば、ＤＶＤ＋ＲＷディスクは、消費家電（ＣＥ）機器により、及びパーソナルコンピューター（ＰＣ）環境で利用されている。ＣＥ環境では、ＤＶＤ＋ＲＷディスクは、一般にＤＶＤ＋ＶＲと称されるＤＶＤビデオレコーディング規格のフォーマットに従ってデジタルビデオ情報を記録するために主に利用される。つまり、定義された特有の割り付け規則、及びビデオ情報自体及びタイトル情報、メニュー構造等のビデオ情報の関連情報を有するファイルのセットが存在する。更に、ファイルの（所定の）リストが、特定の順序で媒体に物理的に存在しなければならない。
【０００４】
ＰＣ環境は異なる規則に従う。一般に、特殊な割り付け要件はない。特定のアプリケーションは、あるファイルが特定のディレクトリに存在することを要求する。またアプリケーションは、一般に固有のデータフォーマットでファイルに情報を格納し、又はファイルから情報を引き出す。つまり、媒体に利用可能な空き領域が存在する限り、あらゆる種類の異なるアプリケーションがその媒体にデータファイルを追加できる。例えば、単一のディスクに、マルチメディアファイル、テキストファイル及び実行ファイルを混在できる。
【０００５】
近年、ビデオプレーヤー／レコーダーのようなＣＥ機器は、ファイルシステム情報を通じ、ディスクから機器が対応している特定の種類のファイルを検索する機能を有するようになってきた。例えば、（主に）ＪＰＥＧファイル及びＭＰ３ファイル等、その他多くのファイル形式が対象となっている。将来は、より多くの種類のマルチメディアファイルがＣＥ分野で対応されるだろう。更に、新しく作成されているメタデータの規格（例えば、ＭＰＶ又はＨｉｇｈＭＡＴ）は、例えば共通の「見た目」を異なる環境で提供することにより、ＰＣと家電機器の間でより簡単にデジタルコンテンツを移動できるようにする。
【０００６】
特許文献１は、ＣＤ−ＲＷディスクのような書き換え可能な媒体の初期化、フォーマット及び欠陥管理を実行可能な装置を開示している。この装置は、ＣＤ−ＲＷを高容量フロッピー（登録商標）ディスクのように利用し、ファイルの迅速な記録又は読み出しを可能にする。このような媒体は、例えばＣＤ−ＭＲＷ、ＤＶＤ＋ＭＲＷのように、一般にＭＲＷ（マウントレイニアリライタブル）媒体と称される。
【０００７】
この装置は、光ディスク上の論理アドレスを有する情報ブロックの形式で、割り付け済み物理アドレスのトラックに情報を記録する記録手段を有する。論理アドレスは、隣接する格納領域を指定する。実際に、記録担体は、トラックの欠陥部分、特に特定の物理アドレスへのブロックの記録を妨げる欠陥を示して良い。これらの欠陥は、傷、埃、指紋等により生じる。先ずユーザーデータが記録される前に欠陥が検出され、そして欠陥セクターの物理アドレスは、欠陥テーブルで利用対象から除外される。この処理は、通常、スリッピングと呼ばれる。記録担体の使用中に欠陥が検出された場合、欠陥のある物理アドレスに割り付けられた論理アドレスは、予備領域とも呼ばれる欠陥管理領域内の異なる物理アドレスに割り付けられる。この処理は、一般に、再マッピング又は線形な代替と呼ばれる。
【０００８】
更に、前記装置は、異なるファイルシステムのファイルシステムデータを１つの記録媒体に記録すること、所謂「ブリッジメディア」を可能にする。これにより、異なる環境、例えばＣＥ環境とＰＣ環境の間でブリッジメディアの共有が容易になる。ＧＡＡ（汎用アプリケーション領域）と呼ばれる、記録媒体の特定部位は、例えば、他の装置により利用されるファイルシステムのファイルシステムデータを格納するために割り付けられる。ＤＶＤ＋ＭＲＷ媒体の場合、ＧＡＡは２メガバイトである。
【０００９】
ＰＣ環境でブリッジメディアにデータを追加する最も一般的な方法は、「ドラッグアンドドロップ」技術を用いる方法である。ユーザーは、ＰＣで実行される対応（ブリッジ）アプリケーションを利用し、媒体と従来のプレーヤーに互換性を持たせることができる。基本的に、アプリケーションは、「ＣＥブリッジ」と呼ばれる第２のファイルシステムデータを媒体に書き込む。適切なファイルシステム及びコンテンツポインターを用いると、従来の「非ＭＲＷ」システムは、これらのデータを自身のファイルシステムのコンテンツとして解釈できる。結果として、ＣＥプレーヤーは、自身が持つ適切なコンテンツデコーダーを用い、このファイルシステムデータにより参照されるコンテンツを再生できる。
【００１０】
ＣＥブリッジの作成と変更は、第１のファイルシステムデータを通じた検索、及びファイル／ディレクトリエントリーのＣＥブリッジへのコピーを必要とする。更に、ＣＥブリッジにコピーされた全てのファイル／ディレクトリエントリーの変更を必要とする。これは、ファイル／ディレクトリエントリー内に格納されたアドレス参照が、ファイルシステムのパーティションの先頭に関連して定義されているからである。更に、２つのファイルシステムにより利用されるアドレス参照のフォーマットは、異なる場合がある。ファイル／ディレクトリエントリーの検索、コピー及び変更の処理は、時間を要する。
【特許文献１】国際公開第０１／２２４１６号
【発明の開示】
【発明が解決しようとする課題】
【００１１】
本発明の目的は、異なる環境間でブリッジメディアを共有する、より経済的な方法を提供することである。
【課題を解決するための手段】
【００１２】
本発明は、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する、装置に関連し、前記装置は、前記媒体に前記デジタル情報信号を記録する記録手段；前記媒体に記録された前記デジタル情報信号を読み取る読み取り手段；及び前記デジタル情報信号の記録を制御する制御手段を有する。
【００１３】
本発明は、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する、方法に更に関連する。
【００１４】
本発明はまた、記録媒体のような取り外し可能で書き換え可能なディスクのアドレス可能な位置にデジタル情報信号を記録し、前記デジタル情報信号は、ユーザーデータ、第１のファイルシステムデータ及び第２のファイルシステムデータを表し、各ファイルシステムデータは、ファイルエントリーの対応するセットを有し、前記ファイルエントリーは、所定の書式に従いユーザーデータを指し及び参照点に関連して定義されたアドレス参照を有する装置と接続されるコンピューターを有する、コンピューターデータシステムに関連し、前記装置は、前記コンピューターと接続され前記デジタル情報信号を受信する入力手段；前記デジタル情報信号を前記媒体に記録する記録手段；前記媒体に記録された前記デジタル情報信号を読み取る読み取り手段；前記読み取ったデジタル情報信号を前記コンピューターへ出力する出力手段；前記デジタル情報信号の記録を制御する制御手段を有する。
【００１５】
本発明は、記録媒体のような取り外し可能で書き換え可能なディスクのアドレス可能な位置に、デジタル情報信号を記録するコンピュータープログラムに更に関連する。
【００１６】
上述の目的は、本発明の第1の特長によると、上述のデジタル情報信号を記録する装置により達成される。前記装置は、制御手段が適用されると、前記第１のファイルシステムのアドレス参照フォーマットが前記第２のファイルシステムのアドレス参照フォーマットと同一か否か及び前記第１のファイルシステムの参照点が前記第２のファイルシステムの参照点と同一か否かを検査するために検証を実行し、及び前記検証の結果が真の場合に２つのファイルシステムデータにより共有されるファイルエントリーのセットを１つだけ記録することを特徴とする。従って、ＣＥブリッジの取り扱いに要する時間と領域を削減する。
【００１７】
デジタル情報信号を記録する装置のある実施例では、制御手段が適用されると、２つのファイルシステムデータは１つのファイルセット記述子を共有するか否かを検査する段階を有する検証を実行し、及び前記検証の結果が真の場合に２つのファイルシステムデータにより共有されるディレクトリエントリーのセットを１つだけ記録する。この実施例は、ＣＥブリッジの取り扱いに要する時間と領域を更に削減するので、有利である。
【００１８】
デジタル情報信号を記録する装置の更に別の実施例では、制御手段が適用されると、２つのファイルシステムのバージョンを比較する段階を有する検証を実行する。これを利用し、２つのファイルシステムにより用いられるアドレス参照のフォーマットを検証できる。
【００１９】
デジタル情報信号を記録する装置の別の実施例では、制御手段が適用されると、２つのファイルシステムのアドレス参照フォーマット及び２つのファイルシステムの参照点に関連する情報を有するビットフラグを検査する。この実施例は、ファイルエントリーが２つのファイルシステムにより共有可能か否かを検証する簡単で迅速な方法を提供するので、有利である。
【００２０】
デジタル情報信号を記録する装置の別の実施例では、制御手段が適用されると、１つのファイルセット記述子に関連する情報を有するビットフラグを検査する。この実施例は、ディレクトリエントリーが２つのファイルシステムにより共有可能か否かを検証する簡単で迅速な方法を提供するので、有利である。
【００２１】
制御手段が適用されると、前記媒体から前記ビットフラグを読み取るので、有利である。これは、別の装置により又は装置に媒体を再挿入した後に生成される、ＣＥブリッジを変更する場合に有用である。
【００２２】
デジタル情報信号を記録する装置の別の実施例は、制御手段が適用されると、前記第１のファイルシステムのパーティション及び前記第２のファイルシステムのパーティションが、前記第１のファイルシステムの参照点及び前記第２のファイルシステムの参照点である同一の位置から始まるように、及び前記第１のファイルシステムのアドレス参照フォーマットが前記第２のファイルシステムのアドレス参照フォーマットと同一であるように、前記媒体にファイルシステムのパーティションを定義する段階を有する初期化を実行することを特徴とする。従って、２つのファイルシステムにより共有されるファイルエントリーを有するブリッジメディアの生成が可能になる。
【００２３】
デジタル情報信号を記録する装置の別の実施例では、制御手段が適用されると、前記第１のファイルシステムのボリューム記述子及び前記第２のファイルシステムのボリューム記述子を記録し、２つのボリューム記述子は、２つのファイルシステムデータにより共有される前記１つのファイルセット記述子を指す。従って、２つのファイルシステムにより共有されるファイルエントリーだけでなく、ディレクトリエントリーをも有するブリッジメディアの生成が可能になる。ＣＥブリッジの基本情報のみが、媒体に記録されれば良く、第１のファイルシステムの制御下で記録されたファイル及びディレクトリエントリーは、自動的に２つのファイルシステムにより共有される。
【００２４】
欠陥管理のための代替領域を有する予備領域をユーザー領域の外側に有する媒体の場合、制御手段が適用されると、前記予備領域を有する前記第２のファイルシステムのパーティションを定義するので、有利である。従って、予備領域に再割り付けされたユーザーデータを、第２のファイルシステムパーティション内からアドレス指定できる。
【００２５】
制御手段が適用されると、ビットフラグを設定する段階を有する初期化を実行するので、有利である。このビットフラグは、初期化に続く検証により利用される。
【００２６】
制御手段が適用されると、前記ビットフラグを前記媒体に記録するので、有利である。これは、装置からの媒体の取り出し及び再挿入の後に実行されるＣＥブリッジの変更の場合に有用である。
【００２７】
本発明の第２の特長によると、上述のデジタル情報信号を記録する方法が提供される。前記方法は、前記第１のファイルシステムのアドレス参照フォーマットが前記第２のファイルシステムのアドレス参照フォーマットと同一か否か、及び前記第１のファイルシステムの参照点が前記第２のファイルシステムの参照点と同一か否かを検査するための検証段階；前記検証段階の結果が真の場合に、２つのファイルシステムデータにより共有されるファイルエントリーのセットを１つだけ記録する段階を有することを特徴とする。
【００２８】
本発明の第３の特長によると、上述のコンピューターデータシステムが提供される。前記コンピューターは、デジタル情報信号を記録する装置の前記制御手段を制御し、上述の本発明の第２の特長を実行するために利用されることを特徴とする。
【００２９】
本発明の第４の特長によると、記録媒体のような取り外し可能で書き換え可能なディスクに記録されたデジタル情報信号を記録するコンピュータープログラムが提供される。前記プログラムは、プロセッサーに上述の本発明の第２の特長を実行させるよう機能する。
【実施例】
【００３０】
本発明の上述の及びその他の特長は、以下に説明される実施例を参照して、及び添付の図面を参照して更に明らかになるだろう。
【００３１】
複数の図中の対応する要素は、同一の参照符号で表される。
【００３２】
図１ａは、トラック９及び中央の穴１０を有するディスク状の記録媒体１１の例を示す。トラック９は、デジタル情報信号（データ）を表す一連の記録された（されるべき）マークの位置であり、情報層上で実質的に平行なトラックを構成する曲線の螺旋パターンに従うよう構成される。記録媒体は、光学的に読み取り可能であり、光ディスクと称され、記録可能な種類の情報層を有する。記録可能なディスクの例として、ＣＤ−ＲＷ、ＤＶＤ＋ＲＷのような、書き込み可能なＤＶＤ、及びブルーレイディスク（ＢＤ）と称される、ブルーレイを用いた高密度の書き込み可能な光ディスクがある。デジタル情報信号（データ）は、光学的に検出可能なマーク、例えば相変化物質に結晶の又は非結晶質のマークをトラックに沿って記録することにより、情報層に記録される。記録可能な記録媒体のトラック９は、何も記録されていない記録媒体の製造過程で設けられる、予めエンボス加工されたトラック構造により示される。トラック構造は、例えば、読み取り／書き込みヘッドが走査の間にトラックを辿れるようにする溝１４を有する。トラック構造は、通常情報ブロック又はパケットと称される情報単位の位置を示す位置情報、例えばアドレスを有する。
【００３３】
図１ｂは、記録可能な記録媒体１１のラインｂ−ｂの断面図を示す。図１ｂでは、透過基板１５には、記録層１６及び保護層１７が設けられる。保護層１７は、例えば記録層が０．６ｍｍの基板であり、裏面に０．６ｍｍの基板が更に結合されているＤＶＤのような基板層を更に有する。溝１４は、基板１５の物質の凹部又は凸部として、又は周囲と異なる材料特性として実施されて良い。
【００３４】
図２は、本発明の、デジタル情報信号をＣＤ−ＲＷ、ＤＶＤ＋ＲＷ又はＢＤのような記録媒体１１に記録する装置を示す。本装置は、記録媒体のトラックを走査する記録手段を設ける。記録手段は、記録媒体１１を回転する駆動部２１、ヘッド２２、及びトラックの半径方向にヘッド２２の位置を合わせる位置決め部２５を有する。ヘッド２２は、記録媒体の情報層のトラック上の照射点２３に焦点を合わせた光学素子を通じて照射ビーム２４を生成する既知の光学システムを有する。照射ビーム２４は、例えばレーザーダイオードのような光源により生成される。ヘッドは、照射ビーム２４の焦点を前記ビームの光軸に沿って移動させる焦点作動装置、及びトラックの中央で半径方向に点２３の微細な位置決めを行うトラッキング作動装置を更に有する（図示されない）。トラッキング作動装置は、光学素子を半径方向に移動させるコイルを有して良い。又は代案として反射成分の角度を変更させるよう構成されても良い。デジタル情報信号（データ）を記録する場合、照射は、光学的に検出可能なマークを記録層に作成するよう制御される。マークは、如何なる読み取り可能な形式、例えばダイ、金型又は位相変化物質のような物質に記録する場合に得られる、周囲と異なる反射係数を有する領域の形式、又は光磁気材料に記録する場合に得られる、周囲と異なる磁化方向を有する領域の形式であっても良い。読み取りの場合、情報層により反射された光線は、読み取り信号を生成するヘッド２２内の通常の種類の検出器、例えば４クワドラントダイオードにより検出される。そして更に検出器は、トラッキングエラー及び焦点合わせのエラーを有する信号を送信し、前記トラッキング及び焦点作動装置を制御する。読み取り信号は、デジタル情報信号（データ）を読み出すために、復調器、再フォーマット装置及び出力部を含む通常の種類の読み取り処理部３０により処理される。従って、情報を読み出す読み出し手段は、駆動部２１、ヘッド２２、位置決め部２５及び読み取り処理部３０を有する。本装置は、ヘッド２２を駆動する書き込み信号を生成するために、入力データを処理する書き込み処理手段を有する。書き込み処理手段は、入力部２７、並びにフォーマット部２８及び変調部２９を有する変調手段を有する。入力データは、例えばリアルタイムビデオ及び／又は音声データ、画像データ又は他のユーザーデータを有して良い。入力部２７は、入力データを情報の単位に加工する。情報の単位は、フォーマット部２８に渡され、例えばエラー訂正コード（ＥＣＣ）及び／又はインターリーブにより、制御データ及びフォーマットデータを付加される。フォーマット部２８から出力されるフォーマット済みデータは、変調部２９へ渡される。変調部２９は、例えばチャネル符号器を有し、変調された信号を生成する。変調された信号は、ヘッド２２を駆動する。更に、変調部２９は、変調済み信号のパターン同期を含む同期手段を有する。変調部２９の入力に現れたフォーマット済みの単位は、アドレス情報を有し、制御部２０の制御下で記録媒体の対応するアドレス可能な位置に書き込まれる。制御部２０は、情報の記録及び読み出しを制御し、ユーザー又はホストコンピューターから命令を受信するよう構成されて良い。制御部２０は、制御線２６、例えばシステムバスを経由して前記入力部２７、フォーマット部２８及び変調部２９、読み取り処理部３０、及び駆動部２１、及び位置決め部２５と接続される。制御部２０は、制御回路、例えばマイクロプロセッサー、プログラムメモリー及び制御ゲートを有し、以下に説明される本発明の手順及び機能を実行する。制御部２０はまた、論理回路の状態機械として実施されて良い。
【００３５】
ある実施例では、本装置は記憶システムのみ、例えばコンピューターで用いられる光ディスクドライブである。制御部２０は、ホストコンピューター内の処理装置と標準インターフェース（図示されない）を経由して通信するよう構成される。デジタルデータ（ユーザーデータ及び／又はファイルシステムデータを有する）は、フォーマット部２８へ渡され、及び読み取り処理部３０から直接送られる。この場合、インターフェースは、入力部及び出力部として動作する。代替案では、入力部２７は、装置内に存在する必要はない。
【００３６】
ある実施例では、本装置は独立した装置、例えば民生用のビデオ録画装置として構成される。制御部２０、又は装置に含まれる追加のホスト制御部は、ユーザーにより直接制御されるよう、及びファイルシステムの機能、例えばファイルシステムデータの生成を実行するよう構成される。本装置は、アプリケーションデータ処理、例えば音声及び／又はビデオ処理回路を有する。ユーザー情報は入力部２７に現れる。入力部２７は、アナログ音声及び／又はビデオ、又はデジタル非圧縮音声／ビデオのような入力信号の圧縮手段を有して良い。読み取り処理部３０は、適切な音声及び／又はビデオ復号部を有して良い。
【００３７】
制御部２０は、１つの記録媒体の異なるファイルシステムのファイルシステムデータの記録、所謂「ブリッジメディア」を制御できる。これにより、ブリッジメディアを異なる環境、例えばＣＥ環境とＰＣ環境の間で、上述のように共有できる。
【００３８】
図３は、ブリッジメディアの例を示す。図３は、一般にＭＲＷ（マウントレイニアリライタブル）媒体、ＤＶＤ＋ＭＲＷと称される媒体の簡易レイアウトを示す。この媒体は、特に、汎用アプリケーション領域ＧＡＡ、予備領域ＳＡ（この例では２つの副領域ＳＡ１及びＳＡ２を有する）及びユーザー領域ＵＡを有する。ユーザー領域ＵＡは主に、実際の利用に用いられるデータ及び記録媒体に格納されたコンテンツの関連データの記録に利用される。これらのデータは、例えば、ファイルデータＦＤ及び第１の（主）ファイルシステムデータＭＲＷＦＳで構成されるユーザーデータを有する。ＭＲＷＦＳは、ディレクトリ及びファイルエントリー、第１のファイルシステムの規則に従ってユーザーデータを指すＭＲＷＤＦＥを有する。汎用アプリケーション領域ＧＡＡは、欠陥管理による代替が許されないデータの格納に利用できる。このようなデータは、例えばアプリケーションプログラム、アドレス空間を論理的に構成するために（非ＭＲＷドライブにより読み取り不可能な欠陥管理の再割り付けを補償するために）非ＭＲＷシステムが再びアドレスマッピングを実行できるよう保証する再マッピング、欠陥を処理できるデバイスドライバ、又は追加のファイルシステムのファイルシステムデータである。予備領域ＳＡは、欠陥管理により利用される。ＤＶＤ＋ＭＲＷ記録媒体、ＧＡＡ、ＳＡ１及びＳＡ２は、それぞれ２，８及び１２０（又は５０４）メガバイトの容量を有する。ＭＲＷＰＳ及びＣＥＰＳは、それぞれＭＲＷファイルシステムパーティション及びＣＥファイルシステムパーティションの先頭（始まり）を示す。
【００３９】
ＭＲＷの定義によると、ＰＣに再マッピングドライバーをインストールすることにより、ＭＲＷ媒体の非ＭＲＷ対応ドライブによる読み取りを保証できる。この再マッピングドライバーは、特にＧＡＡを用いて、ＧＡＡのファイルシステムにアプリケーションを起動させ、このドライバーをインストール又はインターネットからダウンロードさせることで、簡単に得られる。非ＭＲＷを認識可能なＣＥ機器の統合の場合、同一又は異なる種類のファイルシステム（一般にＩＳＯ９６６０又はＵＤＦ）は、一般にＣＥ機器により認識されるコンテンツのアドレス指定を可能にするために利用される。これは、ＭＲＷ媒体のＵＡに格納されたマルチメディアコンテンツを、ＧＡＡに格納されたファイルシステムデータを用いて指すことにより行われる。以後、ＧＡＡは第２のファイルシステムデータＣＥＦＳとも称される、固有のディレクトリ及びファイルエントリー、ＣＥＤＦＥを有する。
【００４０】
ある実施例では、制御部２０は、所謂「ブリッジアプリケーション」として機能する。１つのファイルシステムのファイル及びディレクトリエントリーは、他のファイルシステムに属する他のデータ構造の等価物にミラーされる。この処理の間、ファイルシステムデータの変化に関する情報は集められ、そして全て又は選択されたファイル／ディレクトリエントリーのみがミラーされる。この選択は、ファイル種別、ファイルシステム特性又は他の条件の所定のセットを用いて行われる。ブリッジメディアにデータを付加（変更）した後、ファイルシステムデータは、ブリッジアプリケーションにより同期されなければならない。媒体が「認識可能な」環境、つまり２つのファイルシステムデータが確実に同期されている環境で用いられるか、又は「認識不可能な」環境（２つのファイルシステムデータは同期を保てない）で用いられるかに依存して、媒体は正しい又は正しくないＣＥブリッジ情報を有する。従って、ＣＥブリッジをリストアできる空間統合ブリッジアプリケーションの空間的動作が実行される必要がある。これは、媒体が常に「認識可能な」環境を正しいＣＥブリッジに渡せるようにする、「認識可能な」環境の機能の一部であって良い。
【００４１】
装置のある有利な実施例では、制御部２０は、ＣＥブリッジを更新できない装置のために、ユーザー領域の全体又は部分へのブロック書き込みアクセスを行う。例えば、制御部２０は、読み取り専用のディレクトリ／ファイルを設定できる。これは、ファイル毎又はディレクトリ毎に選択的に行われる。例えば、video_merge_tsディレクトリのような、ビデオプレーヤーが再生できるコンテンツだけを読み取り専用に設定する。
【００４２】
図４は、ＵＤＦファイルシステムの簡易構造を示し、記録媒体のディレクトリ及びファイル構造を表す。アンカーボリューム記述子ポインターＡＶＤＰは、メインボリューム記述子シーケンスＭＶＤＳを指す。ＭＶＤＳは、論理ボリューム記述子ＬＶＤ、パーティション記述子ＰＤ、１次ボリューム記述子ＰＶＤ、装置用ボリューム記述子ＩＵＶＤ及び未割り付け領域記述子ＵＳＤを有する。ＬＤＶは、論理ボリュームに関する情報を有する。ＬＤＶはファイルセット記述子ＦＳＤを指す。パーティションは、論理空間を物理空間に割り付ける。通常、これは線形割り付けであり、オフセット（位置）及び長さはＰＤにより特定される。ＰＶＤは、物理ボリュームに関する情報を有し、ＩＵＶＤは、ボリュームに関する装置固有の情報を有する。ボリュームの空き領域に関する情報は、ＵＳＤに含まれる。ＡＶＤＰは、論理アドレス２５６を有する論理ブロックに位置する。例えば、ＤＶＤ＋ＭＲＷ媒体のＭＲＷＦＳの場合、この論理アドレスは、リードインの後の５３７６番目の物理ブロックに相当する（再マッピングされていない場合）。ＵＤＦファイルシステム構造はまた、論理アドレス１６にボリューム識別シーケンスＶＲＳを有する。ＡＶＤＰ、ＭＶＤＳ及びＶＲＳは、パーティションの外側に位置する。ＦＳＤは、ファイル及びディレクトリのセットを識別し、ルートディレクトリを表す所謂ルートエントリーＲＥへのポインターを有する。ディレクトリ及びファイルツリーは、ユーザーに媒体のコンテンツの構造を示し、ルートディレクトリから始まり、そして図４の矢印で示されるようにポインターを経由して相互に全てリンク付けされているディレクトリエントリーＤＥ及びファイルエントリーＦＥを通じて生成される。図４はまた、ファイル識別記述子（ＦＩＤ）を示す。ＦＩＤは、ディレクトリのデータとして見え、ファイル及び特定のディレクトリが存在するディレクトリへのポインターを有する。ＲＥ、ＦＩＤ、ＤＥ及びＦＥは、ＵＤＦファイルシステムのファイル及びディレクトリ構造を共に形成する。これらは、ＦＳＤと同様に、パーティションの内側に位置する。各ファイルエントリーは、対応するファイルに属するデータを指すアドレス参照（リンク）を有する。アドレス参照は、所与のファイルシステム固有のフォーマットを有し、ＵＤＦの場合、パーティションの先頭である参照点に関連して定義される。ＵＤＦファイルシステムのルートエントリー、ディレクトリエントリー及びファイルエントリーは、ＵＤＦ規格の定義と同一のデータフォーマットを有し、同一の参照点を用いる。これらはしばしば単にファイルエントリーと称される。一般に、ＭＲＷファイルシステムのアドレス参照フォーマットは、ＣＥファイルシステムのアドレス参照フォーマットと異なって良い。また、ＭＲＷ及びＣＥのアドレス参照は、例えばＭＲＷ及びＣＥのパーティションが図３に示されるように異なる位置から始まる場合、異なる参照点に関連して定義できる。
【００４３】
制御部２０は、検証を実行し、第１のファイルシステムのアドレス参照フォーマットが第２のファイルシステムのアドレス参照フォーマットと同じか否か、及び第１のファイルシステムの参照点が第２のファイルシステムの参照点と同じか否かを検査し、検証の結果が真の場合に、２つのファイルシステムデータにより共有されているファイルエントリーのセットのみを記録する。この検証は、ファイルエントリーが作成、変更又はブリッジメディアのファイルシステムデータに追加される時に実行される。ある実施例では、検証は制御部２０により自動的に実行される。別の実施例では、制御部２０は、ユーザーからの要求に応じて検証を実行する。この要求は、例えば「統合する」ボタンの押下により開始されて良い。有利な実施例では、制御部２０は、媒体が装置にマウントされた後、検証を要求する。本発明の装置は、（検証結果が真であった場合）ＭＲＷ及びＣＥファイルシステムに共通のファイルエントリーのコピーを１つだけ記録できる。ファイルエントリーの２つのセットを記録する必要はない。これは図５に示される。１つの共通のセットを形成するファイルエントリーＦＥは、異なるファイルシステムデータ、ＭＲＷＤＥ及びＣＥＤＥに対応するディレクトリエントリーにより指される。図６は、共有されたファイルエントリーを有するＤＶＤ＋ＲＷブリッジメディアの簡易構造の例を示す。
【００４４】
装置の実施例の制御部２０により実行される方法は、図７に示される。生成１ステップ１０２では、第１のファイルシステムのファイルエントリーが生成される。次に記録１ステップ１０３では、ファイルエントリーは媒体に記録される。検証ステップ１０４では、検証が実行される。検証の結果が真の場合、第２のファイルシステムファイルエントリーを記録する必要がないので、手順は終了ステップ１０７で終了する。その他の場合、生成２ステップ１０５で第２のファイルシステムのファイルエントリーが生成され、そして記録２ステップ１０６で媒体に記録される。検証ステップ１０４はまた、記録１ステップ１０３又は生成１ステップ１０２の前に実行されて良い。このような場合、検証の結果が真であると、手順は記録１ステップ１０３の後に終了する。
【００４５】
装置のある実施例では、制御部２０は、２つのファイルシステムデータが１つのファイルセット記述子ＦＳＤを共有するか否かを検査する段階を有する検証を実行し、検証の結果が真の場合、２つのファイルシステムデータにより共有されているディレクトリエントリーの１つのセットを記録する。ディレクトリエントリーの２つのセットを記録する必要はない。これは図８に示される。ファイルエントリーＦＥ、ディレクトリエントリーＤＥ及びルートエントリーＲＥは、ＭＲＷＦＳ及びＣＥＦＳにより共有される、１つの共通構造（ツリー）を形成する。図９は、共有されたファイル及びディレクトリエントリーを有するＤＶＤ＋ＭＲＷブリッジメディアの簡易構造の例を示す。２つのファイルシステムは、同じ形式のユーザーデータを媒体上に有する。
【００４６】
本発明の方法のある実施例では、図７のステップはディレクトリエントリーにも適用される。
【００４７】
ある実施例では、制御部２０は検証を実行し、２つのファイルシステムデータが１つのファイルセット記述子ＦＳＤを共有するか否かのみを検査する。
【００４８】
別の実施例では、制御部２０は、ＭＲＷ及びＣＥファイルシステムの種類を比較でき、例えば２つのファイルシステムがＵＤＦファイルシステムであるか否かを検査する。これは、第１のファイルシステムのアドレス参照フォーマットが第２のファイルシステムのアドレス参照フォーマットと同じか否かを検査するために利用される。
【００４９】
更に別の実施例では、制御部２０は、ＭＲＷファイルシステムのパーティションとＣＥファイルシステムのパーティションが同じ位置から開始するか否かを検査する。これにより、第１のファイルシステムの参照点が第２のファイルシステムの参照点と同じか否かを検査できる。
【００５０】
有利なことに、装置の別の実施例では、制御部２０は、ＭＲＷ及びＣＥファイルシステムデータの変更日時を比較し、ＣＥファイルシステムデータの更新が必要か否かを決定する。
【００５１】
２つのファイルシステムのアドレス参照フォーマット及び２つのファイルシステムの参照点に関連する情報は、ビットフラグにより示されて良い。例えば、ビットフラグの値は、第１のファイルシステムのアドレス参照フォーマットが第２のファイルシステムのアドレス参照フォーマットと同じであり、及び第１のファイルシステムの参照点が第２のファイルシステムの参照点と同じであるという状態に対応して良い。
【００５２】
ある実施例では、制御部２０は、ビットフラグを検査し、第２のファイルシステムのファイルエントリーの別のセットの記録が必要か否かを調べる。
【００５３】
同一の又は追加のビットフラグは、２つのファイルシステムデータが１つのファイルセット記述子を共有する状態に関連する情報を表すために用いられて良い。従って、別の実施例では、制御部２０は、関連するビットフラグを検査でき、第２のファイルシステムのディレクトリエントリーの別のセットの記録が必要か否かを調べる。
【００５４】
ビットフラグの利用により、制御部２０により実行される検証が簡略化される。
【００５５】
有利なことに、別の実施例では、制御部２０は、ブリッジメディアからビットフラグを読み出す。
【００５６】
ある実施例では、制御部２０は、ブリッジメディアを初期化できる。この初期化の一部として、ＡＶＤＰ、ＭＶＤＳ、ＶＲＳ及び２つのファイルシステムデータ（この場合、ＵＤＦファイルシステムデータ）のＦＳＤは、媒体に記録される。初期化のこの部分は、例えば、「統合する」要求の結果として、１つの動作（ＭＲＷ及びＣＥファイルシステムデータの記録）又は時間的に分離された、つまり最初にＭＲＷファイルシステムデータが記録され、次にＣＥファイルシステムデータが記録される、２つの動作として実行されて良い。制御部２０は、パーティション記述子ＭＲＷＰＤ及びＣＥＰＤにより定義されたパーティションに同一の開始点（位置）を設定する。ＭＲＷＦＳ及びＣＥＦＳのバージョンが異なる場合、第１のファイルシステムのアドレス参照フォーマットが第２のファイルシステムのアドレス参照フォーマットと同じであることに注意しなければならない。従って、図５に示されるように、２つのファイルシステムデータにより共有されるファイルエントリーの１つのセットのみを記録するだけで良いブリッジメディアを得る。
【００５７】
本発明の方法の実施例では、図７に示される要に、初期化は初期化ステップ１０１として実行される。
【００５８】
更に別の実施例では、制御部２０は、共に同一のＦＳＤを指す第１のファイルシステムＬＶＤ及び第２のファイルシステムＬＶＤを記録できる。第１のファイルシステム及び第２のファイルシステムに共通の１つのＦＳＤが、媒体に記録される。これは、図８に示されるように、１つのファイルエントリーだけでなくディレクトリエントリーも、２つのファイルシステムデータにより共有されることを意味する。
【００５９】
ＭＲＷパーティションの場合、欠陥管理が適用される。これは、論理的にＭＲＷパーティションの一部であるデータが、予備領域に物理的に位置できることを意味する。有利なことに、別の実施例では、制御部２０は、予備領域ＳＡ２を有する第２のファイルシステムのパーティションを定義し、ＳＡ２に再マッピングされたデータがＣＥパーティション内からアドレス指定できるようにする。
【００６０】
ある実施例では、制御部２０は、上述の１つ以上の状態を表すビットフラグを設定する。例えば、初期化の後又は間に、ビットフラグを設定できる。ビットフラグの値は、パーティション記述子ＭＲＷＰＤ及びＣＥＰＤにより定義されたパーティションが、同じ開始点（位置）を有することを示す。同一の又は追加のビットフラグは、第１のファイルシステムＬＶＤと第２のファイルシステムＬＶＤが同一のＦＳＤを指すことを示すために利用できる。
【００６１】
有利なことに、別の実施例では、制御部２０は、ビットフラグをブリッジメディアに記録する。
【００６２】
ホストシステムとデジタル情報信号を記録する装置を有するコンピューターデータシステムの実施例では、ホストシステムの処理部は制御部２０を制御し、装置の実施例を参照して以上に説明されたように、方法と機能を実行する。
【００６３】
本発明のコンピュータープログラムは、制御部２０又はホストシステムの処理部に、装置の実施例を参照して以上に説明されたように、方法と機能を実行させる。
【００６４】
本発明は、好適な実施例を参照して説明されたが、これらは限定のための例ではない。従って、当業者には、請求の範囲により定義された本発明の精神から逸脱することなく種々の変更が明らかである。更に、本発明は、以上に説明されたそれぞれの新しい特長又はそれらの組み合わせに存在する。また、記録媒体として光ディスクが説明されたが、他の媒体、例えば光磁気ディスクを用いても良い。本発明はコンピュータープログラムを実行する汎用プロセッサーにより又は専用ハードウェアにより又は両者の組み合わせにより、実施されて良い。また本願明細書では、「有する」の語は、列挙された以外の他の要素又はステップの存在を排除するものではない。単数表記の要素は、複数の要素の存在を排除するものではない。如何なる参照符号も請求の範囲を制限するものではない。「手段」は単数又は複数の要素により実施されて良い。複数の「手段」は同一の要素又はハードウェアにより実施されて良い。
【図面の簡単な説明】
【００６５】
【図１ａ】記録媒体（平面図）を示す。
【図１ｂ】記録媒体（断面図）を示す。
【図２】本発明の、デジタル情報信号を記録する装置を示す。
【図３】ＭＲＷ型媒体の簡易レイアウトを示す。
【図４】ＵＤＦファイルシステムの簡易構造を示す。
【図５】本発明の、ファイルエントリーを共有するＭＲＷ及びＣＥファイル構造を示す。
【図６】本発明の、共有されたファイルエントリーを有するＤＶＤ＋ＭＲＷブリッジメディアの簡易構造を示す。
【図７】本発明の、デジタル情報信号を記録する方法の例を示す。
【図８】本発明の、ファイル及びディレクトリエントリーを共有するＭＲＷ及びＣＥファイルシステムの構造を示す。
【図９】本発明の、共有されたファイル及びディレクトリエントリーを有するＤＶＤ＋ＭＲＷブリッジメディアの簡易構造を示す。
【図１ａ】
2007512648.tif 000003
【図１ｂ】
2007512648.tif 000004
【図２】
2007512648.tif 000005
【図３】
2007512648.tif 000006
【図４】
2007512648.tif 000007
【図５】
2007512648.tif 000008
【図６】
2007512648.tif 000009
【図７】
2007512648.tif 000010
【図８】
2007512648.tif 000011
【図９】
2007512648.tif 000012
【国際調査報告】
2007512648.tif 000013
2007512648.tif 000014
2007512648.tif 000015